(57)【要約】      （修正有）【課題】ガン細胞を撲滅させる治療法と治療具を提供する。【解決手段】心を動かす周波数と調べに言葉を自ら頻発することにより、前頭葉２aから前頭葉２bに伝達することにより、記録が固定化されて患者のガンによる書類の恐怖で狂った心を強め免疫力を高めて、ガン細胞を撲滅させる。７は患者の体内にあるガン病巣である。８はガン病巣を撲滅するキラー細胞である。このキラー細胞の活性化は、前頭葉２ｂからキラー細胞８に信号が与えられることにより実現される。【選択図】図２
2016202421.tif 000002
【特許請求の範囲】
【請求項１】
心を動かす調べと言葉を患者に発声せしめることにより、患者の免疫力を高めて、ガン細胞を撲滅又は弱体化させることを特徴とするガンの治療方法。
【請求項２】
心を動かす調べと言葉を患者に発声せしめることにより、患者の免疫力を高めて、ガン細胞を撲滅又は弱体化させることを特徴とするガン治療具。
【発明の詳細な説明】
【技術分野】
【０００１】
本発明はガンの治療方法及びその治療具に関し、その基本をなす心の治療具に関するものである。
【背景技術】
【０００２】
ガンは、現在我が国の死亡原因の１位を占めている厄介な病気である。今や２人に一人がガンにかかり、３人に一人がガンで死ぬ時代になっている。ガンは自分の細胞が無限の増殖作用を繰り返すようになったものであり、ガン細胞をたたくと、周囲の正常細胞もたたいてしまうことが多い。このため、有力なガンの治療方法が待たれている。
【発明の概要】
【発明が解決しようとする課題】
【０００３】
ガンのような重篤な病気にかかると、人は心が折れて病気がますます悪化してしまう。従って、ガン患者の治療は、基本的に心の治療が大切であるが、今まで心の治療具はなかった。
本発明はこのような課題に鑑みてなされたものであって、ガンにかかった人の心を治療することにより、極めて有効なガンの治療法を提供することを目的としている。本発明は、世界初の心の治療具である。
【課題を解決するための手段】
【０００４】
このような問題を解決する本発明は、心を動かす周波数と調べに言葉を自ら頻発することにより、前頭葉２aから前頭葉２bに伝達することにより、記録が固定化されて患者のガンによる書類の恐怖で狂った心を強め免疫力を高めて、ガン細胞を撲滅させるようにしたことを特徴とする。
本発明は、世界初の理論による心の治療法と治療具である。通常本発明などでは心は動かさない。心を動かす周波数と調べの発明である。普通の歌では患者の心は動かせない。また、ムードミュージックのような音楽では心は安らいだとしても心を動かすことはできない。従来の音楽は聴いて心をリラックスさせたり、幸せなこころにさせるが、落ち込んだ心を元気にはできない。何故なら耳からの入力は普通の心をムーディにするが、落胆した心を元気づけるエネルギがない。これを方程式にすると、普通の音楽のエネルギをe１、落ち込んだ心を持ち上げてやるエネルギをe２とすると、
e１＜e２
である。本発明治療法と治療具のエネルギをEとすると、
E２＜E
とする手法を本発明者が発見した。
【０００５】
本発明者は、心を動かす周波数と調べを過去百年の明治以来の調べ５０万曲を解析し、発見した。これに本発明者が発明した言葉を乗せてガン患者自身に発声させることによりe２＜Eとなることを実験し、科学的に立証した。
心を根底からゆさぶり、変化させることにより免疫力を高めガンを抑圧するものである。なお、ガン以外の病気でも効果があることが確かめられた。
【発明の効果】
【０００６】
本発明により、従来不可能なガンなどの病気治療を終うことができる人類を救う画期的発明である。本発明によれば、ガンを撲滅し、治療することができる。
【図面の簡単な説明】
【０００７】
【図１】東大病院の病理組織診断検査報告書
【図２】本発明の理論を示す図
【図３】本発明者が開発した心を動かす楽譜
【図４】本発明者が創案した心を動かし奮い立たせる歌詞（和文及び英文）
【図５】本発明治療具のブロックダイヤグラム
【図６】本発明の治療具の実施例［第１］
【図７】本発明の治療具の実施例［第２］
【図８】ベッド上の患者が使用中の本発明の治療具の実施例［第３］
【図９】本発明の治療具の実施例［第４］
【図１０】本発明の治療具の実施例［第５］
【図１１】本発明の治療具の実施例［第６］
【図１２】本発明の治療具の実施例［図７］
【図１３】本発明伴奏楽譜
【発明を実施するための形態】
【０００８】
本発明者はガンであり、平成２６年６月２６日の下記告知書を日本記者クラブで発表した。
告知書
私ドクター・中松は、専門医から悪性ガンで余命２年と宣告された
ことを告知します。余命２年とは、来年（平成２７年）末迄です。
・告知する理由
なぜ告知しようと思ったかというと、先般、作家JW氏が私と同じ
前立腺ガンで死亡したことが死後報じられた事です。最後の誕生会で
も「車椅子ではおしのびで遊べない」と言うにとどめていました。
これを見て私は「私は死亡前の誕生会には告知し、死ぬ迄に世のため
人のためになることを告知しよう。」と思ったのです。
・突然余命二年の宣告
昨年１２月末にアメリカから帰国し、別の件で近所の病院に検査入院した際に、念のため生検をしたところグリソンスコア４＋４＝８という顔つきが悪い（悪性）ガンで、つまりガン末期という驚くべき結果を知らされたのです。
しかし、私はガンを公表せずたんたんと都知事選を行いました。スイスで終戦交渉を行った藤村海軍中佐の遺言を律儀に守るためです。最終日、大雪で他の全ての候補者が演説を中止したのに、ガン持ちの私のみが猛吹雪の中で極寒の中、ハチ公前で最終期限の夜八時まで演説をし、選挙を全うしました。
都知事選後直ちに、前立腺研究で五本の指の一人に入る著名専門医
のT病院のS医師に、前記の近くの病院で採った生検プレパラートを顕微鏡下で入念にチェックして頂きました。この専門医はさらに自ら直接指を私の体内に入れてガン塊を確認されました。そして絶望的な「導管ガン」の診断を私に告げたのです。「導管ガン」は前立腺ガン百人に一人と非常に例が少なく、その治療法は、まだ見つかっていない「難病」と説明を受けました。
S医師の放射線担当Y医師は「余命は２年しかない。放射線をやっても５年。」と述べS医師は「放射線治療では導管ガン治療実績がほとんどない。」、つまり治療の見込みはないと述べたのです。
２００５年、私はハーバード大学でIgノーベル賞を受賞しましたが、その論文に適切に健康に留意すれば人の寿命は最大１４４才迄可能という研究成果を書いた程、私は健康に留意していました。特に、2020年には肺ガンについで二番目に多いガンになると予測される、多くの老人男子がなりやすい前立腺ガンについては何時も警戒し、PSA検査も行い正常値であったから、この診断結果は晴天の霹靂でした。「導管ガン」はPSA値が低く出るので発見し難くて遅れになるそうです。
S医師曰く、「放射線ではダメなので全摘手術をする。しかし最新のダビンチロボットによる手術では頭を３０度に４時間下げていなければならず、８６歳では緑内障になるなど副作用が大きいので、ダビンチロボットは使えず、旧来の全摘手術しかない。そして全摘しても転移するかもしれない。」と治療してもその効果は期待出来ないと告げられました。
念のため東京大学で３０年間ガンを研究されたガン専門のN准教授に私の生検プレパラートを顕微鏡下で厳密にチェックして頂いたが結果は同じです。
・ガン対策に奔走
この人生の最難関の関門に、精一杯の力をふりしぼって挑むことを決意しました。
そこでガンのあらゆる病院をすべて調査し、遠くても自ら訪問し診
察を受けました。まず、なかにし礼氏のガンを治療成功したとされる
「国立ガンセンター」の最新の陽子線治療の診察を受けましたが、「導
管ガン」の陽子線治療の実績はありません。
筑波大学も陽子線をやっているので受診しましたが、「導管ガン」の陽子線による治療実績は症例がほとんどなく、治療出来るか確認できませんでした。
そこで陽子線より強力とされる重粒子の治療を行っている国立「重
粒子医科学センター」に行きました。ここは巨人軍角選手が300万円で治療するということで、テレビでも最近有名になりましたが「導管ガン」の治療例は1000件のうち２人のみ、しかもいずれも成功していないとの説明を受けました。
そのほか「南東北病院」のセンター長にご相談したり、有名大臣を治療したとする病院など、ガン専門病院すべてを廻りましたが、残念ながらどこからも解決策を見つけることが出来ませんでした。
・ 諦観と今後の生き方を決める
以上のような状況により、現状では「導管ガン」の治療法がないこ
とがわかったので、私の二年でつきると言われた余命、つまり来年年
末までに何をなすべきかを考えました。
そして次の五大目標を定めました。
１.   ガン撲滅運動と新治療法の発明をする。
２.   福島原発事故による放射能問題を解決する発明（新エネルギの発明を含む）をする。
３.   現在ビッグデータ時代における問題点「大ストレージとリトリーバルの発明」をする。
４.   次世代乗り物の発明をする。
５.   後世への発明法の伝授と発信をする。
これらをさらに詳しく言うと次の如くになります。
１．ガン撲滅運動と新治療法の発明をする。
私が、ガンであることを知らせていないのに、全くの偶然であるが
全米小児ガン撲滅協会の名誉会長になってくれとアメリカから依頼があり、これを受諾して渡米したところ、５月１４日にフロリダオーランド サイラスクラブで私の名誉会長就任記念「ドクター・中松レセプション」が盛大に行われました。
この全米小児ガン撲滅協会がパートナーシップを組むウォルトディズニー小児ガン病院が私を招待し、「アナ雪」で今や超多忙のウォルトディズニーのCEOが他のアポイントをキャンセルして私に会いに来て、私をウォルトディズニーガン病院の名誉ドクターに就任させ、ディズニー病院のドクター制服を授与されました。そこで、
1-1  全米ガン撲滅協会名誉会長として、これから再び渡米して来る
９月２７日にオーランドの五つ星ホテル  ウオルドルフアストリアで２０００人を集めて、ガン撲滅の募金パーティーを行います。
この募金はガンの治療費が出せない患者に提供します。
ウオルトディズニーガン病院の名誉ドクターとしてウォルト
ディズニーガン病院の発明的改革を行い、そしてこの病院を世界
中にひろめます。
1-2  私が2005年ハーバード大学から授与されたIgノーベル賞栄養    
学賞の35年の研究成果を生かし、「ガン治療の食事と飲み物」を  
発明します。
1-4人間性能向上ロボット「ドクター・中松セレブレックス」の発
明者である私が、「導管ガンを駆逐する治療ロボット」を発明します。
1-5 上記1-3、1-4を含め今まで治療法がわからなかった「導管ガン」の新治療法の発明を私自身のためにも、又、他の死を待つしかない人々のためにも発明します。
２.  福島原発事故による放射線問題を解決する発明（新エネルギの
発明を含む）をします。
2-1  現在フランスから導入し、日本の著名企業も参加している高価なALPSが機能せず、放射能汚染水が溜まり、タンク設置の土地    も満杯、という重大問題を解決するため「汚染水を純水化する発    明」を米国科学者に協力させ米国で行います。
2-2  現在、日本は放射能除染に膨大な予算を喰い、しかも今もって除染が不十分であるし、汚染土の中間置場、最終置場のメドも立    っていない。そこで除染ではなく滅染、すなわち「放射能を無くする発明」を米国科学者に協力させ米国で行います。
これらの発明を、私がなぜ米国で行っているかというと原爆や
放射能研究の「ロスアラモス研究所」はアメリカにあり、又、福島原発はアメリカGE製であり、「チェルノブイリ事故データ」もアメリカが多数保有しているからです。
2-3  福島の廃炉はこれから数十年を要しますが、その作業のための重要な防護服は、今のものでは２&#12316;３時間しか作業できません。
「新防護服の発明」を行います。
2-4  上記の目的のためコンタミネーションコントロール用Nテー
プを普及させます。
2-5  今迄にないエネルギ「新電力発生法の発明」を米国科学者と共に米国で行います。
3.  現在のビッグデータ時代における問題点「大ストレージと高速リトリーバルの発明」をします。
私は１９４７年にフロッピーディスクを発明しました。私からラ
イセンスを受けたIBMはフロッピーディスクを生産し、ディスケットという名前で全世界に販売した。しかし現在、インターネットや
スマホ等の普及によりデータが増大し、又、宇宙航空データは６年
で５倍に増大するなどデータ量が急速に莫大となり、いわゆるビッ
グデータの時代になりました。
私が１９５０年に発明し、IBMにライセンスしたハードディスクが現在ストレージに使われていますが、ビッグデータを長期かつ大量に貯蔵しかつ迅速に検索する技術が待たれます。
そこでハードディスクドライブと同一の大きさで容量が十倍のビッグデータストレージと十倍のスピードでリトリーバル出来る発明を米国科学者と米国で行っています。
なぜアメリカで私が、この発明をしているのかというと、アメリ
カ政府に申請した補助金１５万ドルが下りようとしているからです。
当然、日本メーカーに製造や投資の打ち合わせをする予定です。
４.     次世代乗り物の発明をします。
４&#8722;1  航空機：私が５才の時に発明した「自動重心安定装置」は現
在も使われているし（先日のJAL運航トラブルもこの装置のトラブル）、私が１９５０年に発明し、ベルエアクラフト社ローレンス・ベル社長に提案したオスプレイがようやく最近実行化したが、このオスプレイからさらに進化した「スーパーオスプレイの発明」を完成して、日本の国防に役立てます。
4&#8212;2  自動車：今のガソリン車やハイブリッド車のCO2を全く発生しない「ナカー」の発明を完成します。又、一人乗り自動車「ニンジャー」の発明を実用化します。近く市場に出る燃料電池車に積む燃料電池の基本国際特許は私が持ち、著名な外国企業にライセンスしていますが、この燃料電池車よりも更に先を行く新自動車「エネレックス・カー」の発明を具体化する。
4-3  自転車：パリ、ベルリン、ロンドンで自転車が大活用されて
おり、ニューヨークではシティバンクが自転車レンタルをして盛んに自転車が使われています。しかし今の自転車は１７世紀から進歩していません。「２１世紀の自転車の発明」を具体化します。
近くニューヨークに飛び、この「ドクター・ナカマツーシクル」
の採用の交渉に入ります。
５.     後世へ私の発明法の伝授と発信をします。
5-1  ８０年の私の発明経験から組立てた理論「創造学」を東京大学キャンパスや、コロンビア大学などで講義してきましたが、このたび一般人対象に、来る７月から１２月までドクター・中松
未来創造大学校として連続講義を行い、発明法を伝授します。
5-2  18才以上の国民の過半数を加入さす事を目標としている
「ドクター中松総理を待望する会」が自然発生しているので、
これからのハイクオリティの国のあり方の指導を行います。
5-3  デンマーク国立映画会社による「ドクター・中松ドキュメンタリー映画」は世界中の映画祭で賞を獲得しましたが、要望に応      えこのNo.2FILMを撮影中であり、これを本年中に完成して、      世界中に発信します。
5-4  米国三大テレビNBC、コロンビア映画、又、MGM映画による「ドクター・中松ドキュメンタリー映画」が進行中であり、又、「刑
事コロンボ」のプロデューサーによる「ドクター・中松ストーリ    ー」の製作が企画されており、そのため私は来る９月に渡米し、撮影に入る予定です。
5-5  アメリカでドクター・中松書籍が出版計画されているので、出版社との打ち合わせに９月に渡米します。
5-6  今年５月に渡米したときにコロラド州で「ドクター・中松デー」が制定されました。ここにドクター中松ミュージアムを建設する
ため、すでにアメリカの科学者が動いています。このドクター中松博物館を観に来た人々に発明法を伝えます。
5-7  日本でも「ドクター・中松の発明の秘密を明かす」新著作を加速します。
5-８  高学歴 長経験 国際的著名人であることを生かして、政府や国へのハイレベルな提言を引き続き発言し続けます。
平成26年6月26日
なお、東大病院での本発明者のガンの病理組織報告書でガンのレベルのグリソンスコアは８で末期的な症状と判明した（図１）。
【０００９】
本発明は上記の本発明者自身から患っている治療法の重いガンの治療方法を説明するという公約に基づき、ガン治療方法及びその治療具の発明の一部で、ガンの基本をなす心の治療法及び治療具に関するものである。
【００１０】
ガン患者は死という絶望から心を失い、自棄等、発言等、生活の乱れを生ずる。先行体、生活の乱れを生ずる。そして、心が弱くなると、身体も弱くなる。身体が弱くなると、免疫力が落ち、ガンに対抗することができなくなり、死に至る。
本発明はその基本となる心を動かすことにより、ガンを治療するのであるが、本発明はガンに限らず他の病気にも適用されるものである。
図２は本発明の理論を示す図である。図において、１は患者の頭部である。２は患者の脳で、２ａと２ｂは脳２内にある前頭葉の一部である。３は患者の目、４は患者の耳の穴である。
【００１１】
５は患者の口、６は口５に発生すべき「音」を発生させる声帯である。本発明は口から発音させる過程で前頭葉２ａを刺激し、２ａは２ｂを刺激することで、２bに記憶を２bに定着させることができる大脳生理学を利用したガンの治療方法と治療具の発明である。
目３と耳４から入った情報は海馬１０で記憶されるが、すぐに忘れてしまう。それでは心を動かすことはできない。本発明は、口５から発声さす過程で前記前頭葉過程で前記２aを刺激し、２aは２bを刺激することで、記憶を２bに固着させる大脳生理学を使用したガンの治療方法と治療具の発明である。
【００１２】
７は患者の体内にあるガン病巣である。８はガン病巣７を撲滅するキラー細胞である。このキラー細胞８の活性化は、前記前頭葉２ｂからキラー細胞８に信号が与えられることにより実現される。１１は本発明のガン治療具である。
【００１３】
患者は治療具１１から発生される調べを歌う。この調べは図３に示すものである。図３は本願発明で用いられる調べの譜面であり、単なる音楽やイージーリスニング（ミュージック）ではない。本願発明のために本発明者は、明治以来５０万曲を調べ、心を動かす周波数を発見した調べである。この調べは心を動かす歌詞（本発明者が作詞）図４が組み合わせられている。
【００１４】
図４はその言葉（歌詞）である。和文と英文で創作した。詩の題は「ガンの顔つき悪くても」（Even Cancer Face Very Bad）という題である。本発明治療具１１発せられる調べと言葉に従って患者自らが口から発声する。
これら操作を繰り返すことで、調べと言葉により、前頭葉２aが駆動され、これにより前頭葉２bが刺激され、免疫に関する信号を患部７に送る。ガン病巣をたたくための信号がガン病巣７の周辺に配置されたキラー細胞（免疫細胞）８によりガン病巣７をたたく。これにより、ガン病巣を撲滅することができる。
【００１５】
本発明が研究創案した歌詞については、１番から３番まで記載されているが、これに限るものではない。１番、２番はこの言葉を発声し心でうたうことで患者の心を奮い立たせることができ、３番は毎日の生活の注意事項を患者に教育するものである。それまでうつ状態であった心を動かし明るい心に変わっていくことが本発明者が実際にロンドン帝国大学（科学でイギリスNo.１の大学）、ノーベル医学賞を選定するカロリンスカ医科大学、デンマークの最大の大学、コペンハーゲン大学、オーフス大学で実験し、数百人が一斉に立ち上がり、大拍手が鳴りやまなかった大きな効果が実験で確認された（ビデオあり）。
【００１６】
上記のごとく１番、２番は、ガンにひるまぬ言葉が選ばれており、何回も繰り返して発音することで、ガンに対してひるまない作用を持つようになり、精神的に暗かった状態が明るい状態となり、これによりＮＴ細胞が活発化し、キラー細胞の活動が高まると、ガン細胞がキラー細胞により弱くなり、最後には死滅してしまう。従って、本発明では発声を何度も繰り返すことにより、心が鼓舞されガン細胞は弱くなり、最後には死滅してしまう。
【００１７】
なお、２番の歌詞は「合唱」となっている。仲間が合唱することで、更に強力な心を一つにすることができ、よりよい効果を生む。この唱えるという行動は、自分の心にガン撲滅のための言葉が入り込み、心を動かし精神の状態をガンに対して弱わらない心に変化させ、これにより免疫力を高めることになる。
【００１８】
なお、図３に示す楽譜は、発声用のものであり、伴奏（小ダイコ,バイオリン,ドラム,トランペット（コロネット）等用の楽譜も本発明者が作成し、これを図１３に示す。この治療具を使用することにより、ガンに対してひるまぬ心となり、免疫力を高めるものとなり、ガン細胞を死滅させるに至る。本発明の言葉と調べにより免疫を高めるものである。これら要素が、何れも心動かし心が体内の免疫力を高めるように増幅する。
【００１９】
以下、本発明の治療具の実施例について説明する。図５は治療具のブロックダイヤグラムを示す図である。メモリ２５には、本発明で用いる楽譜（スコア）及び歌詞のデータが入っている。このメモリ２５に入っているデータは、図示しない制御部（例えばマイクロコンピュータ）により読み出され、図示しないＤＡコンバータによりアナログ信号に変換される。このアナログ信号は、続くアンプ２６に入り、振動板２８を駆動する。バッテリー２７はメモリ２５、アンプ２６を駆動する。振動板２８からは、音声が聞こえる。
【００２０】
図６は本発明治療具１１の実施の一例で歌曲メモリがビルトインされた型を示す図で耳栓３０から人体に入る図である。図でメモリからの音声信号は、耳穴４から耳に入る。図７は本発明の他の実施例で、メモリの交換ができ、種々の調べや言葉が聴けるタイプの治療具であり、異なるデータが記憶されたメモリチップ３１を取り換えることで複数の治療の調べや言葉を選べる。
【００２１】
図８は本発明治療具の説明で、ベッドに寝ている状態の患者が、本発明を実施している実施例である。仰向けに寝ると、通常の耳かけ方式のイヤフォンやヘッドホンがベッドにぶつかってしまうので、本発明治療具は耳の後ろに突起部分やベッドに当たる部分が無い形状にする。寝ていても耳から離れず有効に効果が出るようにした実施の一例である。
【００２２】
図９は本発明治療具の耳栓タイプの実施の一例で、メモリ、アンプ、バッテリー部などを装着した時、ベッドと反対側に設けた構造と形状とする。
【００２３】
図１０が本発明治療具のヘッドホンタイプの実施の一例を示す図である。ヘッドホンを頭に付けた状態では、患者がベッドをつけたまま仰向きに寝ると、ヘッドホンがベッドにぶつかりうまく耳に当たらない。そこで、本発明ヘッドホン型治療具は、ヘッドホンを寝ながら頭につけた時でも、ヘッドホン下部が床に当たって耳からずれることがないように、床に当たる部分を削った形状にしその中にメモリを入れた、本発明ヘッドホン型治療具の実施の一例である。図において、１９は耳当てパット、２０はメモリ,アンプ,振動板からなる治療具である。
【００２４】
以上の実施例はメモリビルトイン方式の本発明実施の一例であるが、他の実施の形態も考えられる。
図１１は本発明の調べと言葉を、ネットで「配信」するようにしたものである。受信機４０で電波４１を受信してイヤフォン４２で聴くようにした本発明実施例である。このようにすれば、音楽、言葉の発振源と受信機を無線で飛ばすことができて、都合がよい。そして、メモリが不要となる。
図１２はメモリの記憶媒体として、ＣＤや、ＤＶＤを用いる本発明実施例であり、分離して点灯販売されるものである。
図１３は本発明伴奏の楽譜である。小ダイコやトランペット（コロネット）を加えると効果的である。
【産業上の利用可能性】
【００２５】
本発明は、ガン以外の病気にも効果があるので、本発明により世界中の病で苦しむ人を救うことができ、病人が減少し、人が動かす産業活動が飛躍的に増大し、また病人や死人が減るので、人口減少に歯止めがかかり、産業活動の活性化と人口増大によりGDP（国内総生産）が増大する、日本を救う画期的な発明である。
【符号の説明】
【００２６】
１    頭部
２    脳
２ａ  前頭葉
２ｂ  前頭葉
３    眼
４    耳穴
５    口
６    制御部
７  ガン病巣
８  キラー細胞
９    本
１０  海馬
１１  治療具
１２  メモリ
１３  アンプ
１４  バッテリー
１５  振動板
１６  イヤフォン
１７  メモリ
１８  ヘッドフォン
１９  パット
２０  メモリ,アンプ,振動板よりなる治療具
２２  受信機
２３  イヤフォン
２４  CD
２５  耳栓
３０  耳栓
３１ メモリチップ 
【図１】
2016202421.tif 000003
【図２】
2016202421.tif 000004
【図３】
2016202421.tif 000005
【図４】
2016202421.tif 000006
【図５】
2016202421.tif 000007
【図６】
2016202421.tif 000008
【図７】
2016202421.tif 000009
【図８】
2016202421.tif 000010
【図９】
2016202421.tif 000011
【図１０】
2016202421.tif 000012
【図１１】
2016202421.tif 000013
【図１２】
2016202421.tif 000014
【図１３】
2016202421.tif 000015